(57)【特許請求の範囲】
【請求項１】
出来合いの足部（１）および足部（１）の上端に接触する、足部にとりつけた包帯（１０）を持ち、たとえば静脈および／またはリンパ節の腫れの治療のための、足と膝の間の部分の組織を支持する圧迫包帯であって、その足部（１）にリング編みで作った圧迫用中央部（２）、その一端につま先が露出する開放部（３）と他端に編みこんだかかと部（４）とを有し、足部（１）の上端がくるぶしの部分（５）まであることを特徴とする圧迫包帯。
【請求項２】
圧迫ストッキングと圧迫包帯を兼ね合わせていることを特徴とする、請求項１に記載の圧迫包帯。
【発明の詳細な説明】
【０００１】
本発明は、たとえば静脈および／またはリンパ節の腫れの治療のための、足と膝の間の部分の組織を支持する圧迫包帯に関する。
静脈浮腫あるいはリンパ節浮腫と診断する指標には、体液の蓄積による四肢の腫れがある。これらの腫れは抑える必要があり、とりわけ圧迫包帯を使用することで徐々に消失していき、腫れが引くにつれて下腿囲も小さくなっていく。この現象は医学的には急性期と呼ばれている。この急性期には、圧迫包帯により治療することが主として薦められている。あまり伸びのない圧迫包帯を施すには困難が伴う（たとえば、伸縮性圧迫包帯では巻締め圧力をあらかじめ決められただけぴったりかけておかねばならない）ので、ほとんどの場合、熟練者または医師に包帯をしてもらう必要がある。患者が包帯を巻くのは著しく困難だと考えられるからである。いずれにしても、足の甲（ｆｒｏｎｔ  ｐａｒｔ  ｏｆ  ｔｈｅ  ｆｏｏｔ）のまわりおよびかかとのまわりに包帯を巻くのは特に難しいと考えられる。
【０００２】
急性期を過ぎて四肢の腫れが減ると、その次の維持期では圧迫ストッキングをつけるよう指示されるのが普通である。約４０％の患者の場合には、この圧迫ストッキングを注文製作しなければならなず、そのためこのストッキングは極めて高価なものにつく。
上述の静脈およびリンパ節の疾患は大抵は慢性で、一生の間治療しなければならない例も多い。現在の所、大抵の患者では急性期と維持期が交互にあらわれ、特に夏期の数ヶ月間や、患者が医師の指示に従わなかったりすると、罹患した四肢が一時的にかなり腫れてしまう。これは極めて好ましくない状況をもたらし、指示された圧迫ストッキングが合わなくなってしまい、少なくとも一時的には圧迫包帯に切り替えねばならず、そのためには熟練者の手を煩わす必要がある。
【０００３】
本発明の目的は改良した圧迫包帯を使用可能とすることであり、この圧迫包帯は上記の不都合や困難さを取り除き、足の甲のまわりやかかとのまわりに巻く必要がなく、少なくとも医師や熟練者の手助けを得ずに、患者にとっては好都合なことに自分一人で圧迫包帯をすることができ、それにより圧迫感もその人の感覚で調節でき、さらに、急性期であろうと維持期であろうと、四肢の腫れの状態がいろいろと変化しても患者はただ一つの用具しか必要でない。
この目的は、請求項１の前段で特定される種類の圧迫包帯で達成されるが、それは出来合いの足部（ｒｅａｄｙ−ｍａｄｅ  ｆｏｏｔ  ｐａｒｔ）を有するよう設計されているためである。
【０００４】
出来合いの足部を有する本発明による圧迫包帯は、圧迫ストッキングと圧迫包帯を上手に容易に調節可能に兼ね合わせたものである。したがって、使用するにあたっては、足の甲まわりおよびかかとのまわりに包帯を巻く際に従来あった困難さが解消されることとなった。これらの箇所は身体の中でももっとも包帯のしにくいところである。患者は普通のストッキングを履くのと同じようにしてストッキング部を履いてから、医師や特別な技能をもつ人の助けをかりなくても、くるぶしの部分から膝までの下肢部のまわりに包帯を巻くことができるようになり、しかも自分一人で圧迫包帯をすることができ、それにより圧迫感もその人の感覚で調節できるようになるので、圧迫包帯の取扱がじつに簡単なことを実感し好意をもち、さらに、下腿囲が変わっても使用することができ、他の人の手助けも不要である。したがって、圧迫ストッキングは使用せずにすむようになり、その代わり本発明による圧迫包帯を腫れの状態がどのようであっても、治療の期間を通して使用することができるようになったのである。
【０００５】
一つの実施態様として、足部としては、リング編みで作った圧迫用中央部（ａ  ｃｉｒｃｕｌａｒ−ｋｎｉｔｔｅｄ  ｃｏｍｐｒｅｓｓｉｏｎ  ｍｉｄｄｌｅ  ｐａｒｔ）を備え、その一端は開放してつま先が露出するようにし、他端は編み込んだかかと部となっているのが好ましく、それに圧迫包帯で長さが好ましくは３〜７ｍのものを足部の上端につける。
足部の端はくるぶしの所まで、特にくるぶしの下部または上部までとすることができる。
本発明による圧迫包帯の優れた所は、圧迫ストッキングと圧迫包帯を兼ね合わせていることである。
本発明による圧迫包帯は次のようにして使用する：
−−足部はストッキングを履くようにして足に履き、
−−足部にとりつけた包帯はくるぶしの部分から巻きはじめ、かかとの部分には巻かずに、包帯はその半分を重ね合わせながら、らせん状または８の字状に巻いていき、膝のくぼみから約指２本分だけ下で、環状折直し（ｃｉｒｃｕｌａｒ  ｔｕｒｎ）で巻き終える。
【０００６】
これとは別に、足部を履いてから、包帯をかかとのまわりに２回巻き付け、このましくは膝のくぼみの下までの１／３まで巻き、環状折り直しで巻き終え、下肢にそれぞれに適した圧迫力を与えるようにして、本発明による圧迫包帯を用いることもできる。
本発明のさらなる詳細、特徴および利点は、以下の図中に表した多くの図示による実施態様の説明から明らかになるであろう。
図１ａから１ｆまでは、人の脚を足から膝まで斜視的に描いたものであるが、本発明による圧迫包帯を、かかとに巻き付けずに、使用した時の一連の手順を示している。
図２ａから２ｅまでは、脚の斜視図で、かかとに巻き付ける方法で圧迫包帯を使用した時の一連の手順を示している。
図１ａは本発明による圧迫包帯の足部を示し、好ましくは輪編みで作った圧迫用中央部２を備え、その一端は開放部３としてつま先が露出するようにし、他端は編みこんだかかと部４である。
【０００７】
それに続く図１ｂから１ｆまでは、足部１の上端につけた長さが３〜７ｍの圧迫包帯１０を示している。
足部１の端はくるぶしの部分５まで、特にくるぶしの下部または上部までであるが、一般にはその上部までとすることが好ましい。
図１ａから１ｆまでの図から、そして、図２ａから２ｅまでも同様であるが、本発明による圧迫包帯が圧迫ストッキングと圧迫包帯を兼ね合わせたものであることが明らかである。
本発明による圧迫包帯の使用方法は極めて単純明快である。まず、足部１を、図１ａおよび２ａに見られるように、ストッキングを履くようにして足に履く。次いで、続く図１ｂから１ｆまでの方法で、足部１に取りつけた包帯１０をくるぶしの部分５から巻きはじめ、かかと４は巻かずに、好ましくは包帯の幅の１／２を重ね合わせながら、らせん状または８の字状に巻いていき、図１ｆに示した最終状態になるよう、膝のくぼみから約指２本分だけ下で巻き終える。
【０００８】
図２ａから２ｅに、本発明による圧迫包帯の同様の使用方法を示すが、ここで違っているのは、図２ｂから２ｇに見られるように、足部１を履いた後で、包帯１０をかかと４のまわりに２回巻いていることだけである。こうすると、くるぶしの関節７とくるぶしの部分５に包帯が巻かれて固定されるが、これはたとえば炎症によりくるぶしの関節１７が弱くなっている場合などには必要なことである。その他では、本発明による圧迫包帯１０の使用における一連の手順は図から容易にわかり、あらためて説明するまでもない。包帯を巻き終えた後の脚はそれぞれ図１ｆおよび２ｅに示されている。
従来から用いられてきた圧迫ストッキングおよび圧迫包帯に比べて、一方ではその取扱いが簡単直裁であることから、他方では単一の用具でその使用に融通が利くことから、また、下腿囲が変わっても使用できることなどから、本発明は大きな利点を持っており、さらに、患者にとっても費用負担者にとってもかなりの費用の節約が可能となる。
この点では、本発明は所期の目的を最適に達成している。
【図面の簡単な説明】
【図１ａ】人の脚を足から膝まで斜視的に描いたものであるが、本発明による圧迫包帯を、かかとに巻き付けずに、使用した時の一連の手順を示している。
【図１ｂ】人の脚を足から膝まで斜視的に描いたものであるが、本発明による圧迫包帯を、かかとに巻き付けずに、使用した時の一連の手順を示している。
【図１ｃ】人の脚を足から膝まで斜視的に描いたものであるが、本発明による圧迫包帯を、かかとに巻き付けずに、使用した時の一連の手順を示している。
【図１ｄ】人の脚を足から膝まで斜視的に描いたものであるが、本発明による圧迫包帯を、かかとに巻き付けずに、使用した時の一連の手順を示している。
【図１ｅ】人の脚を足から膝まで斜視的に描いたものであるが、本発明による圧迫包帯を、かかとに巻き付けずに、使用した時の一連の手順を示している。
【図１ｆ】人の脚を足から膝まで斜視的に描いたものであるが、本発明による圧迫包帯を、かかとに巻き付けずに、使用した時の一連の手順を示している。
【図２ａ】脚の斜視図で、かかとに巻き付ける方法で圧迫包帯を使用した時の一連の手順を示している。
【図２ｂ】脚の斜視図で、かかとに巻き付ける方法で圧迫包帯を使用した時の一連の手順を示している。
【図２ｃ】脚の斜視図で、かかとに巻き付ける方法で圧迫包帯を使用した時の一連の手順を示している。
【図２ｄ】脚の斜視図で、かかとに巻き付ける方法で圧迫包帯を使用した時の一連の手順を示している。
【図２ｅ】脚の斜視図で、かかとに巻き付ける方法で圧迫包帯を使用した時の一連の手順を示している。
【図２ｆ】本発明による圧迫包帯の同様の使用方法を示す。
【図２ｇ】本発明による圧迫包帯の同様の使用方法を示す。
【図２ｈ】本発明による圧迫包帯の同様の使用方法を示す。
【図２ｉ】本発明による圧迫包帯の同様の使用方法を示す。
【図１ａ】
0003609341.tif 000002
【図１ｂ】
0003609341.tif 000003
【図１ｃ】
0003609341.tif 000004
【図１ｄ】
0003609341.tif 000005
【図１ｅ】
0003609341.tif 000006
【図１ｆ】
0003609341.tif 000007
【図２ａ】
0003609341.tif 000008
【図２ｂ】
0003609341.tif 000009
【図２ｃ】
0003609341.tif 000010
【図２ｄ】
0003609341.tif 000011
【図２ｅ】
0003609341.tif 000012
【図２ｆ】
0003609341.tif 000013
【図２ｇ】
0003609341.tif 000014
【図２ｈ】
0003609341.tif 000015
【図２ｉ】
0003609341.tif 000016